(57)【要約】【課題】天然木材で容易に製造することができる極めてシンプルな構造で積み重ねを実現したひじ掛け椅子を提供する。【解決手段】座面部材１０を支えるための４隅の脚柱部材１１Ａ、１１Ｂ、１１Ｃ、１１Ｄと、左右のひじ掛け板１２を備えたひじ掛け椅子であって、上記ひじ掛け板１２は、座面部材１０の左右に立てられ、上記各脚柱部材１１Ａ、１１Ｂ、１１Ｃ、１１Ｄは、座面部材１０およびひじ掛け板１２の外側に配置されて、ひじ掛け板１２の外側面に接して固定され、上記ひじ掛け板１２は、積み重ねの際に上下の端面を突き合わせる状態をとり、上端面１４と下端面１５を突合せる状態、上端面１４同士を突き合わせる状態および下端面１５同士を突合せる状態をとりうるように構成したことにより、収納条件に応じて積み重ね方法を選択できるうえ、積み重ね時の安定性も確保される。【選択図】図１
0003166260.tif 000002
【実用新案登録請求の範囲】
【請求項１】
座面部材を支えるための４隅の脚柱部材と、左右のひじ掛け板を備えたひじ掛け椅子であって、
上記ひじ掛け板は、座面部材の左右に立てて配置され、
上記各脚柱部材は、座面部材およびひじ掛け板の外側に配置されて、ひじ掛け板の外側面に接して固定され、
上記ひじ掛け板は、積み重ねの際に上下の端面を突き合わせる状態をとり、上端面と下端面を突合せる状態、上端面同士を突き合わせる状態および下端面同士を突合せる状態をとりうるように構成されたことを特徴とするひじ掛け椅子。
【考案の詳細な説明】
【技術分野】
【０００１】
本考案は、積み重ね（スタッキング）できるひじ掛け椅子に関するものである。
【背景技術】
【０００２】
従来、簡素な素材と構造の椅子で積み重ね（スタッキング）可能とされる椅子は、通常、ひじ掛けを有していなかった。
図５は、下記の特許文献１に開示された椅子である。特許文献１には、簡素な素材と構造からなる椅子について、積み重ねを可能とする各種の方法が提示されているが、特殊な形状の特例を除き、ひじ掛けのない椅子が数多く開示されている。
【０００３】
また、下記の特許文献２では、「積み重ね（スタッキング）収納、または前後組み合わせ（ネスティング）収納が可能な椅子は、ひじ掛けがついていないのが通例とされている」という技術的背景に基づき、金属製又は合成樹脂製の複雑な構造のひじ掛け椅子が開示されている。
【０００４】
しかしながら、保育施設等で使用する保育用の椅子などにおいては、柔らかさとぬくもりを持つ木製の椅子が望ましく、また安全性確保の観点からひじ掛けは必要不可欠とも考えられる重要な機能である。また、積み重ね（スタッキング）を可能とすることにより、収納に必要な収納空間を小さくすることも、多人数の乳幼児を扱う保育施設では極めて重要な要件とされる。
【０００５】
図６および図７は、下記の特許文献３に開示された椅子である。図７において、椅子１は、座板４、脚柱２Ａ、２Ｂ、２Ｃ、２Ｄ、背もたれ３、ひじ掛け５Ａ、５Ｂを有している。この椅子１は、座板４をやや内側に納め、ひじ掛け５Ａ、５Ｂを外側へ湾曲させ、さらに脚柱２Ａ、２Ｂ、２Ｃ、２Ｄを上下方向でやや外側へ勾配をつけることにより、積み重ね可能としている。このような構造とした結果、構造・形状ともにかなり複雑となる。また、形状・構造が複雑で乳幼児が使うには、頭部や手足を絡ませてしまい、事故につながる可能性が大きく、乳幼児が使うものとしては安全性に難があるものである。
【０００６】
図８は、下記の特許文献４に開示された金属製のひじ掛け椅子である。この椅子は、ひじ掛けを特殊な形状で外側に湾曲させることによって積み重ねを可能としている。このように、形状および構造が複雑なものとなる。また、ひじ掛けが外側に湾曲して出っ張り部分となり、乳幼児が使うものとしては安全性に難があるものである。
【先行技術文献】
【特許文献】
【０００７】
【特許文献１】特許第２７９１２２１号公報
【特許文献２】特開２００１−１２８７７５号公報
【特許文献３】登録実用新案第３０７２１７２号公報
【特許文献４】特開２００５−０７３９８７号公報
【考案の概要】
【考案が解決しようとする課題】
【０００８】
保育施設等で使用する保育用などの場合は、無垢の木の柔らかさとぬくもりなどが望ましいものである。また、安全性確保の上からひじ掛けは必要不可欠とも考えられる重要な機能である。しかしながら、上述したように、積み重ね可能で簡素な素材と構造の椅子はひじ掛けは有していない。一方、ひじ掛けつきで積み重ね可能としたものは、形状や構造が複雑で、頭部や手足を絡ませるなど事故の可能性があり、保育施設での使用には適さないものばかりである。
【０００９】
本考案は、上記課題を解決するためになされたものであり、天然木材で容易に製造することができる極めてシンプルな構造で積み重ねを実現したひじ掛け椅子を提供することをその目的とする。
【課題を解決するための手段】
【００１０】
上記の目的を達成するため、本考案のひじ掛け椅子は、座面部材を支えるための４隅の脚柱部材と、左右のひじ掛け板を備えたひじ掛け椅子であって、
上記ひじ掛け板は、座面部材の左右に立てて配置され、
上記各脚柱部材は、座面部材およびひじ掛け板の外側に配置されて、ひじ掛け板の外側面に接して固定され、
上記ひじ掛け板は、積み重ねの際に上下の端面を突き合わせる状態をとり、上端面と下端面を突合せる状態、上端面同士を突き合わせる状態および下端面同士を突合せる状態をとりうるように構成されたことを要旨とする。
【考案の効果】
【００１１】
本考案のひじ掛け椅子は、積み重ねの際に上下の端面を突き合わせる状態をとり、上端面と下端面を突合せる状態、上端面同士を突き合わせる状態および下端面同士を突合せる状態をとりうるように構成されている。このため、上端面と下端面を突合せる状態をとるよう積み重ねることで、複数のひじ掛け椅子を、座るときと同じ上向きにした状態で、重ねて積み上げることができる。このほか、上端面同士を突き合わせるよう組み合わせたものを、下端面同士が突き合うようにさらに重ねることで、少ない面積で高く積み重ねることが可能となる。このように、上下方向および前後方向をともに同方向として順向きに積み重ねる順積みもできるし、上下方向および前後方向を１台毎に逆向きに積み重ねる逆積みもできる。したがって、収納条件に応じて積み重ね方法を選択できる。
【００１２】
また、上記ひじ掛け板は、上記ひじ掛け板が座面部材の左右に立てて配置され、かつ上記各脚柱部材が、座面部材およびひじ掛け板の外側に配置されてひじ掛け板の外側面に接して固定されている。このため、積み重ねの際に、上側の椅子の左右の脚柱部材が、下側の椅子の前後の脚柱部材間またはそれらの前や後に配置され、この状態でひじ掛け板の外側面に脚柱部材の内面が対面して接触し、積み重ね時の安定性が確保される。
【００１３】
詳しく説明すると、本考案は、例えば、前後の脚柱部材を立てて配置したひじ掛け板によって連結して一体としたものを両側にそれぞれ形成し、両者を座面部材および必要に応じて背もたれによって連結して得ることができる、簡素な素材と構造のひじ掛け椅子である。また、例えば、４本の脚柱部材を座板部材および必要に応じて背もたれによって連結して一体し、それの左右にひじ掛け板を立てて配置するように連結して得ることができる。このように、簡素な素材と構造のひじ掛け椅子である。
【００１４】
このように、本考案によれば、通常、脚柱、座板、ひじ掛け部材、必要に応じて背もたれ材より構成することができる。安定性を有する積み重ね（スタッキング）が可能で収納に適する、簡素な素材と構造のひじ掛け椅子を提供できる。
【００１５】
上記ひじ掛け椅子は、その上下方向および前後方向を共に同方向のまま順向きに積み重ねる方法（順積み法）も、その上下方向および前後方向を１台毎に逆向きに積み重ねる方法（逆積み法）も可能であり、収納目的に応じて積み重ね方法を選択できることが可能なのである。
【００１６】
したがって、上述した順積み法も逆積み法も可能であるため、収納時に許容される収納面積もしくは収納容積と安定性などの条件に応じ、積み重ね方法を選択して積み重ねできることが可能となる。
【００１７】
上記順積み法は、壁際などに単純に同方向に順に数台程度を積み重ねできるので、積み重ね方法として簡明且つ容易であり、収納面積が許容される時には、好適な積み重ね方法として採用することができる。
【００１８】
一方、逆積み法は積み重ねた結果が鉛直となり、段数を高く積み重ねることが可能である。また、本法を水平方向に床上に延長することも可能であり、その段数を重ねて、収納容積も小さくて安定な積み重ね状態となり、効率的な収納が可能である。従って、長期保管時、或いは搬送時などには、特に適した積み重ね方法となる。
【００１９】
また、本考案によるひじ掛け椅子は、素材および構造が簡素であり、構成する素材数も少ないので、その結果、製作工数も最小限にすることができる。
【図面の簡単な説明】
【００２０】
【図１】本考案のひじ掛け椅子の実施形態を示す斜視図である。
【図２】上記ひじ掛け椅子の積み重ね時（順積み法）を説明する図である。
【図３】上記ひじ掛け椅子の積み重ね時（逆積み法）を説明する図である。
【図４】本考案のひじ掛け椅子の他の実施形態を示す斜視図である。
【図５】従来例の椅子の積み重ね状態の一例を示す斜視図である。
【図６】従来例のひじ掛け椅子の積み重ね状態を示す斜視図である。
【図７】上記ひじ掛け椅子を示す斜視図である。
【図８】従来例の金属製ひじ掛け椅子の一例を示す斜視図である。
【考案を実施するための形態】
【００２１】
以下、本考案のひじ掛け椅子の実施形態について、図面を参照して詳細に説明する。
【００２２】
図１は、本考案のひじ掛け椅子の実施形態であり（Ａ）は第１態様、（Ｂ）は第２態様である。
【００２３】
このひじ掛け椅子は、この例では木製であり、座面部材１０を支えるための４隅の脚柱部材１１Ａ、１１Ｂ、１１Ｃ、１１Ｄと、左右のひじ掛け板１２を備えている。
【００２４】
この例では、上記４隅の脚柱部材１１Ａ、１１Ｂ、１１Ｃ、１１Ｄは、角材を所定長さに切断して形成することができる。また、上記４隅の脚柱部材１１Ａ、１１Ｂ、１１Ｃ、１１Ｄのうち、後ろの脚柱部材１１Ｃ、１１Ｄが、前の脚柱部材１１Ａ、１１Ｂよりも上方に長くなっており、後ろの脚柱部材１１Ｃ、１１Ｄの上部には、板状の背もたれ１３が取り付けられている。
【００２５】
上記ひじ掛け板１２は、座面部材１０の左右に立てて配置されている。また、上記各脚柱部材１１Ａ、１１Ｂ、１１Ｃ、１１Ｄは、座面部材１０およびひじ掛け板１２の外側に配置されて、ひじ掛け板１２の外側面に接して固定されている。この例では、座面部材１０は四角板状であり、ひじ掛け板１２も長方形の板状を呈している。
【００２６】
この状態で、各脚柱部材１１Ａ、１１Ｂ、１１Ｃ、１１Ｄにより、座面部材１０およびひじ掛け板１２よりも下側に突出した脚部が形成されている。また、座面部材１０の上面と両ひじ掛け板１２の内側面に囲われた領域が、臀部を納める空間になる。
【００２７】
このように、このひじ掛け椅子は、４本の鉛直な脚柱１１Ａ、１１Ｂ、１１Ｃ、１１Ｄと、座面部材１０と、背もたれ１３と、２枚のひじ掛け板１２を備えている。
【００２８】
図１（Ａ）に示すものは、右側に配置される前後一対の脚柱部材１１Ｂ、１１Ｄを、立てて配置したひじ掛け板１２が各脚柱部材１１Ｂ、１１Ｄの内側に接して位置させ、ひじ掛け板１２によって連結して一体となして、右側ユニットを形成する。同様に、左側に配置される前後一対の脚柱部材１１Ａ、１１Ｃを、立てて配置したひじ掛け板１２が各脚柱部材１１Ａ、１１Ｃの内側に接して位置させ、ひじ掛け板１２によって連結して一体となして、左側ユニットを形成する。これらの右側ユニットと左側ユニットを、座面部材１０および背もたれ１３によって連結し、ひじ掛け椅子を構成することができる。
【００２９】
図１（Ｂ）に示すものは、４本の脚柱部材１１Ａ、１１Ｂ、１１Ｃ、１１Ｄを、座面部材１０および背もたれ１３によって連結して一体のユニットを形成し、このユニットに、２つのひじ掛け板１２を立てた状態で連結し、ひじ掛け椅子を構成することができる。
【００３０】
上記ひじ掛け椅子では、上記ひじ掛け板１２は、積み重ねの際に上下の端面を突き合わせる状態をとり、上端面１４と下端面１５を突合せる状態、上端面１４同士を突き合わせる状態および下端面１５同士を突合せる状態をとりうるように構成されている。これにより、上下方向および前後方向を共に同方向のまま順向きに積み重ねる方法（順積み法）と、上下方向および前後方向を１台毎に逆向きに積み重ねる方法（逆積み法）の双方の積み重ね方法を可能とする。
【００３１】
このように、脚柱部材１１Ａ、１１Ｂ、１１Ｃ、１１Ｄを、座面部材１０と背もたれ１３とひじ掛け板１２の外側に位置するよう配置し、脚柱部材１１Ａ、１１Ｂ、１１Ｃ、１１Ｄとひじ掛け板１２が鉛直な平面で接するようにする。さらに、積み重ねた際には、ひじ掛け板１２の上端面１４および下端面１５が互いに付き合う構造としている。また、積み重ね時に、ひじ掛け１２の上端面１４同士を突き合わせる状態、上端面１４と下端面１５を突き合わせる状態、下端面１５同士を突き合わせる状態をとることができ、安定性を生み出すとともに、ひじ掛け板１２の外側面を脚柱部材１１Ａ、１１Ｂ、１１Ｃ、１１Ｄの内面で抑え込む構造とし、さらに積み重ね時の安定性が増すものである。
【００３２】
図２は、順積み法を説明する図である。
【００３３】
この方法では、上記ひじ掛け椅子は、ひじ掛け椅子を１台毎、上下方向および前後方向を共に同方向のまま、積み重ねる。このときは、ひじ掛け板１２の上端面１４と下端面１５を突き合わせた状態をとる。
【００３４】
この場合、積み重ね位置が１台毎に前方向へ脚柱部材１１Ａ、１１Ｂ、１１Ｃ、１１Ｄの前後方向幅だけ、移動することとなるので、その結果、積み重ね体としての重心も１台毎、積み重ねるに伴い前方向に移動することになり、積み重ね高さ（段数）に制約が生じる。この場合、椅子の前方向が壁に面するように積み重ねることによって、安定化を図ることもできる。
【００３５】
上記順積み法は、積み重ね方法として簡明であり、容易に常用することが可能であるが、積み重ねに応じて、１台積み重ねる毎に、脚柱部材の前後幅だけ積み重ね位置が前方向へ移動し、重心が順次前方向へ移動することになる。その結果、積み重ね高さ（段数）には制約が生じるが、その制約内であれば、使用後の極めて容易に積み重ねて収納することができ、収納された椅子を使用するように並べるのも極めて容易である。
【００３６】
図３は、逆積み法を説明する図である。
【００３７】
この逆積み法は、まず、２脚のひじ掛け椅子の背もたれ１３および座面部材１０が対面するように一方を反転させて他方の上に載置する。このとき、上下の椅子のひじ掛け板１２の上端面１４同士を突き合わせた状態をとる。そして、反転して上に載置した椅子の上に、反転しない椅子を載置する。このときは、ひじ掛け板１２の下端面１５同士を突き合わせた状態をとる。その後は、ひじ掛け板１２の上端面１４同士を突き合わせた載置状態と、ひじ掛け板１２の下端面１５同士を突き合わせた載置状態を交互に繰り返す。これにより、椅子は、順向き、逆向き、順向き、逆向き・・・と交互に重ねられる。
【００３８】
このような逆積み法は、順積み法のような重心移動が生じないので、最小の収納面積もしくは収納容積と安定性を実現できる方法であり、常用することも適宜に可能であり、また搬送時もしくは長期保管時などにも、適当な積み重ね方法として採用することも可能である。
【００３９】
また、鉛直な角材を脚柱とすることができ、ひじ掛け板１２は平板とすることもできる。このようにすることにより、積み重ね時に、空間の無駄を最小限とし、これら平面素材が互いに支え合うことによって、より積み重ね時の安定化を図ることができる。また、素材としては、角材および平板など、簡素な形状の木材、もしくは合成樹脂材を用いることができる。これにより、構造も簡素となり、複雑な加工や製作工程を必要としないひじ掛け椅子を提供することができる。
【００４０】
本実施形態のひじ掛け椅子は、脚柱を角材状とし、またひじ掛け部材は平板状とするなどして互いに接すると共に、接する部分が鉛直状となすように構成することにより、ひじ掛け椅子の上下方向および前後方向をともに同方向のまま、順向きに積み重ねる方法（順積み法）も、また、その上下方向および前後方向を１台毎に、逆向きに積み重ねる方法（逆積み法）も、何れも積み重ね可能な構造とし、収納条件に応じて、積み重ね方法を選択できることを可能とした。
【００４１】
図４（Ａ）は、第２実施形態である。図示するように、座面部材１０と背もたれ１３の間に幼児の頭が入る可能性がある場合には、安全のため、横桟２０を設けて幼児の頭の挿入を未然に防止することができる。
【００４２】
図４（Ｂ）は、第３実施形態である。図示するように、ひじ掛け板１２に開口部２１を設け、通気状況を改良させることができる。
【００４３】
図４（Ｃ）は、第４実施形態である。図示するように、座面部材１０を、僅かに前部が高くなるように傾斜させることによって、後方へ緩やかに勾配をもたせ、座り方を安定させることができる。
【実施例】
【００４４】
本考案によるひじ掛け椅子の実施例において、幼児用ひじ掛け椅子の大きさを、横寸法は３６０ｍｍ、縦寸法は２８０ｍｍ、高さは４００ｍｍとした。この場合、順積み法の積み重ねでは、積み重ね時の所要容積は、横寸法は３６０ｍｍ、縦寸法は５３０ｍｍ、積み重ね台数が、６台、高さは、１ｍであった。通常の保育室などの片隅などにおいて、容易に使用できる積み重ね方法と考えられる。
【００４５】
逆積み法の場合は、積み重ね時の所要容積は、横寸法は３６０ｍｍ、縦寸法は３８０ｍｍ、積み重ね台数で、１２台、積み重ね高さは、１.８ｍであった。倉庫などにおいて、脚立などを使用すれば、天井高さ近くまで、積み上げできると考えられる。この逆積み法は、上記の通り、縦方向に積み重ねることもできるが、また同じ逆積み法で、横(水平)方向に積み重ねることもできる。積み重ねの状況によって、適宜に、選択して使用できるが、特に搬送時には、この横方向の逆積み法が適している場合も多い。
【００４６】
本考案は、山間地より供給される天然木材、特に間伐材の利用に適し、無垢材によって構成される保育用木製ひじ掛け椅子が、主要な向け先として可能性が期待される。
【００４７】
また、本考案によるひじ掛け椅子は、構造が簡素な椅子とすることができるので、家庭などにおいても組み立て可能な組立椅子として、提供することもできる。
【００４８】
また、合成樹脂製で製作することも可能であり、製品の軽量化、並びに製品価格の低減化を図ることができる。
【符号の説明】
【００４９】
１：椅子
２Ａ  ２Ｂ  ２Ｃ  ２Ｄ：脚柱
３：背もたれ
４：座板
５Ａ  ５Ｂ：ひじ掛け
１０：座面部材
１１Ａ  １１Ｂ  １１Ｃ  １１Ｄ：脚柱部材
１２：ひじ掛け板
１３：背もたれ
１４：上端面
１５：下端面
２０：横桟
２１：開口部
【図１】
0003166260.tif 000003
【図２】
0003166260.tif 000004
【図３】
0003166260.tif 000005
【図４】
0003166260.tif 000006
【図５】
0003166260.tif 000007
【図６】
0003166260.tif 000008
【図７】
0003166260.tif 000009
【図８】
0003166260.tif 000010